(57)【要約】【課題】トイレ、バス、キッチン等に使用される手摺であって、興趣に富むものを提供する。【解決手段】手摺棒１０と、手摺棒１０端部を支持するブラケット２０とを備えた手摺１であって、手摺棒１０の内部には空間が形成されており、この空間には芳香剤が充填されており、この芳香剤の芳香成分が上記空間からブランケット２０の蓋２７の下部に形成された切欠部分２７ｃを介して手摺外部へ流出されるように構成されている。また、上記手摺１において、手摺棒１０の空間とブラケット２０の空間との境界部分に双方の空間を仕切る仕切部が配置され、この仕切部に複数の貫通孔が形成されることにより手摺棒１０の空間とブラケット２０の空間とが相互に通じるように構成されている。【選択図】　　　図１
0003098123.tif 000002
【実用新案登録請求の範囲】
【請求項１】
手摺棒と手摺棒端部を支持するブラケットとを備えた手摺であって、
上記手摺棒の内部、及び、上記ブラケットの内部のうち、少なくとも一方に空間が形成され、その少なくとも一つの空間には芳香剤が充填されており、この芳香剤の芳香成分が手摺外部へ流出可能に構成されていることを特徴とする手摺。
【請求項２】
請求項１記載の手摺において、
上記手摺棒の内部及び上記ブラケットの内部に空間が形成され、上記手摺棒内部の空間に芳香剤が充填され、上記手摺棒の空間と上記ブラケットの空間とが相互に通じるように形成されることにより上記芳香剤の芳香成分が手摺外部へ流出可能に構成されていることを特徴とする手摺。
【請求項３】
請求項１又は２記載の手摺において、
上記手摺棒の空間と上記ブラケットの空間との境界部分に双方の空間を仕切る仕切部が配置され、この仕切部に複数の貫通孔が形成されることにより上記手摺棒の空間と上記ブラケットの空間とが相互に通じるように構成されていることを特徴とする手摺。
【請求項４】
上記手摺棒及び上記ブラケットはプラスチックで形成されていることを特徴とする請求項１乃至３のいずれかに記載の手摺。
【請求項５】
上記手摺棒は、透明性のある素材で形成されていることを特徴とする請求項１乃至４のいずれかに記載の手摺。
【考案の詳細な説明】
【０００１】
【考案の属する技術分野】
本考案は、トイレ、風呂場、キッチン等の屋内に配置される手摺である。
【０００２】
【従来の技術】
従来、上記のような箇所に設置される手摺としては、特許文献１に記載されているようなものが存在する。
【０００３】
この文献に記載されている手摺は、手摺杆とブラケットを有し、このブラケットは本体部材とカバー部材とを有している。そして、この本体部材が、上記手摺杆の端部を支持し、かつ取付面にボルト及びナットで取り付けられることにより、この手摺は取付面に取り付けられる。
【０００４】
【特許文献１】
特開平１１−０２２１３３号公報（段落００１２参照）
【０００５】
【考案が解決しようとする課題】
上記のような手摺は手摺の機能性のみが重要視されており、これらの手摺を上記の箇所に配置しても安らぎや楽しさを与えることが出来なかった。
【０００６】
そこで本考案は、興趣に富む手摺を提供することにより上記の課題を解決することを目的とする。
【０００７】
【課題を解決するための手段】
本考案は、手摺棒と手摺棒端部を支持するブラケットとを備えた手摺であって、上記手摺棒の内部、及び、上記ブラケットの内部のうち、少なくとも一方に空間が形成され、その少なくとも一つの空間には芳香剤が充填されており、この芳香剤の芳香成分が手摺外部へ流出可能に構成されているものである。
【０００８】
この構成によれば、手摺棒及びブラケット内部のうち、少なくとも一方に充填された芳香剤の芳香成分が手摺外部に流出させることが可能であるため、この手摺が配置された箇所及びその周辺に好適な香りを漂わせることが可能となり、安らぎや楽しさ等を与えることが可能となる。
【０００９】
さらに具体的な構成としては、上記手摺棒の内部及び上記ブラケットの内部に空間が形成され、上記手摺棒内部の空間に芳香剤が充填され、上記手摺棒の空間と上記ブラケットの空間とが相互に通じるように形成されることにより上記芳香剤の芳香成分が手摺外部へ流出されるように構成した手摺にすることが考えられる。
【００１０】
また、上記手摺棒の空間と上記ブラケットの空間との境界部分に双方の空間を仕切る仕切部が配置され、この仕切部に複数の貫通孔が形成されることにより上記手摺棒の空間と上記ブラケットの空間とが相互に通じるようにこの手摺を形成すると、この貫通孔を形成する個数や大きさ等を適宜設定することにより、外部空間に流出される芳香成分の量を好適な量にすることが出来、この手摺が配置された箇所に、より好適な香りを漂わせることが可能となる。
【００１１】
なお、上記手摺棒及び上記ブラケットは、木やダイカスト等の金属等で形成してもよいが、プラスチック素材で形成されるようにすると、配色やデザインのバリエーションが広がり、より興趣に富む手摺を提供することが可能となる。
【００１２】
さらに、上記手摺棒を透明性のある素材で形成すると、手摺棒の内部空間に花等の趣向をこらしたものを入れることにより、より興趣に富む手摺にすることが可能となる。
【００１３】
【考案の実施の形態】
本考案の実施形態について、図１〜図５を用いて説明する。ただし、本考案は以下の実施形態に限定されることはない。
【００１４】
図１は、手摺１の斜視図であり、この手摺１には、手摺棒１０と、この手摺棒１０の両端部に取り付けられるブラケット２０と、手摺棒１０とブラケット２０との境界部分に配置される仕切蓋３０（図２〜図５参照）とが備えられており、これらの部材はすべてプラスチック素材で形成されている。またこの手摺１は、ブラケット２０が壁などの取付部分に固定されることにより上記取付部分に取り付けられる。
【００１５】
以下、手摺１の端部の構成につき、図２及び図３を用いて説明する。
【００１６】
手摺棒１０は、中空状に形成されることにより手摺空間１１が形成され、その両端部分は開口するように形成されている。
【００１７】
そして、この手摺棒１０は透明性のあるプラスチック素材で形成されており、手摺空間１１には花等の装飾品が入れられており、この装飾品に芳香剤を含浸させることにより手摺空間１１内部に芳香剤が充填されている。また、手摺棒１０の端部近傍の外周面には係止溝１３が円周方向に沿う方向に形成されている。
【００１８】
ブラケット２０にはブラケット本体２１が具備され、このブラケット本体２１には、中空状に形成されることにより、ブラケット空間２２と、手摺棒１０及び仕切蓋３０に嵌着する嵌着口２６とが形成されている。ブラケット空間２２と嵌着口２６とは、ブラケット本体２１から内部側に突出して上記仕切蓋３０と当接するように形成された蓋受部２１ａにより仕切られている。
【００１９】
ブラケット空間２２には下記の開口部分が形成されている。まず、嵌着口２６が形成された部分の反対側のブラケット本体２１には、ブラケット用蓋２７が着脱可能な状態で嵌め込まれるように開口部２８が形成されている。
【００２０】
また蓋受部２１ａには、ブラケット空間２２と嵌着口２６とを連通させるブラケット側貫通孔２３が複数個形成されている。
【００２１】
さらに蓋受部２１ａの先端部分には、嵌着口２６とブラケット空間２２とを連通させるブラケット側開口部２４が形成されている。
【００２２】
なおブラケット２０の底部には、この底部とブラケット空間２２とを貫く挿通用孔２５が形成され、この孔２５にボルト、ビス等の取付具を挿通させて上記取付部分にこれらの取付具を固定することによりブラケット２０が上記取付部分に取り付け可能なように構成されている。
【００２３】
ブラケット用蓋２７には、図３、図４に示すとおり、その蓋２７の縁部から突出するように形成された上側突起片２７ａと、上側突起片２７ａと略対角をなす部分の縁から突出するように形成された二個の下側突起片２７ｂとが形成され、この二個の下側突起片２７ｂの間には、上記縁部が略長方形に切り欠かれてなる連通部２７ｃが形成されている。
【００２４】
仕切蓋３０は、図２、図３に示すとおり、略半円状に形成された本体部３３（仕切壁に相当）と、この本体部３３の円弧から立直するように形成された円周部３５とを備えた二個の仕切蓋ユニット３１を具備している。
【００２５】
仕切蓋ユニット３１の本体部３３には複数の蓋側貫通孔３７が形成されており、円周部３５の内周には突起部３９が形成されている。
【００２６】
以下、図５を用いて手摺１の組み立て方を説明する。仕切蓋３０は、手摺棒１０の係止溝１３に仕切蓋ユニット３１の突起部３９をそれぞれ嵌め込み、上記本体部３３の弦にあたる部分同士を相互に当接させることにより手摺棒１０の端部を覆う。
【００２７】
そして、この状態で手摺棒１０及び仕切蓋３０をブラケット本体２１の嵌着口２６に圧入し、仕切蓋ユニット３１の本体部３３を蓋受部２１ａに当接させて、手摺棒１０及び仕切蓋３０を嵌着口２６に嵌着させる。このとき、仕切蓋３０は手摺棒１０とブラケット２０との境界部分に配置され、蓋側貫通孔３７とブラケット側貫通孔２３、及び、蓋側貫通孔３７とブラケット側開口部２４は相互に通じる状態となっており、これらの孔を通して手摺空間１１とブラケット空間２２とが連通される。
【００２８】
またブラケット用蓋２７の上側突起片２７ａ及び下側突起片２７ｂを開口部２８の縁部に係止させることによりブラケット用蓋２７を開口部２８に嵌め込む。このとき、連通部２７ｃの縁部と開口部２８の縁との間に間隙が生じ、ブラケット空間２２とブランケットの外部空間とが連通する状態となる。
【００２９】
この手摺１の構成によれば、手摺空間１１に充填された芳香剤の芳香成分がブラケット空間２２を介して手摺外部に流出させることが可能であるため、この手摺１が配置された箇所及びその周辺に好適な香りを漂わせることが可能となり、安らぎや楽しさ等を与えることが可能となる。
【００３０】
また、手摺空間１１とブラケット空間２２との境界部分に仕切蓋３０の本体部が配置され、この仕切蓋３０に複数の蓋側貫通孔３７が形成されることにより手摺空間１１とブラケット空間２２とが相互に通じるように構成されているため、この貫通孔３７の個数や大きさ等を適宜設定することにより、外部空間に流出される芳香剤の芳香成分の量を好適な量にすることが出来、この手摺１が配置された箇所に、より好適な香りを漂わせることが可能となる。
【００３１】
さらに、手摺棒１０は透明性のある素材で形成されており、かつ、手摺空間１１には花等のような趣向をこらした装飾品がいれられているため、視覚的に美しい手摺１にすることが出来、より興趣に富む手摺１にすることが可能となる。
【００３２】
その他実施形態
（１）　手摺棒１０とブラケット２０との間には、必ずしも仕切蓋３０を配置する必要はない。しかしながら、仕切蓋３０を配置したほうが、外部空間に流出される芳香成分の量を調節することが出来るため、この手摺１が配置された箇所に、より好適な香りを漂わせることが可能となる。
【００３３】
（２）　手摺１を構成する部材は、必ずしもプラスチック素材で形成する必要はなく、木や金属などで形成してもよい、しかしながら、プラスチックで形成されるようにすると、配色やデザインのバリエーションが広がり、より興趣に富む手摺を提供することが可能となる。
【００３４】
（３）　手摺１は、必ずしも芳香剤が装飾品に含浸している構成を採る必要はない。例えば、芳香剤のみを手摺空間１１に充填する構成にしてもよいし、装飾品と芳香剤とを別々に手摺空間１１に入れる構成にしてもよい。
【００３５】
（４）　手摺空間１１に充填された芳香剤の芳香成分は、必ずしもブラケット空間２２を介して外部空間に放出する必要はなく、例えば、手摺棒１０とブラケット２０との接続部分に隙間を設け、その部分から芳香成分を外部空間に放出するような構成をとってもよい。
【００３６】
（５）　必ずしも芳香剤は、手摺空間１１に入れる必要はなく、ブラケット空間２２に入れるようにしてもよい。このような構成を採る場合、手摺空間１１とブラケット空間２２は必ずしも連通している必要はない。すなわち、ブラケット側貫通孔２３及びブラケット側開口部２４及び蓋側貫通孔３７を必ずしも設ける必要はない。
【００３７】
（６）　手摺１のすべての部品がプラスチック材で構成されるようにしてもよいが、必ずしもプラスチック材で構成する必要はなく、任意の素材を選定して構成することが可能である。例えば、手摺棒１０、ブラケット２０をダイカスト等の金属や木材を用いて構成することが考えられる。また、構成部品毎に異なった素材で構成してもよい。
【００３８】
【考案の効果】
以上のように、本考案の構成では、手摺棒内部に充填された芳香剤の芳香成分を手摺外部に流出させることが可能であるため、この手摺が配置された箇所及びその周辺に好適な香りを漂わせることが可能となり、安らぎや楽しさ等を与えることが可能となる。
【００３９】
また、上記手摺の空間と上記ブラケットの空間との境界部分に仕切部が配置されていれば、この仕切部で外部空間に流出される芳香成分の量を好適な量にすることが出来るため、この手摺が配置された箇所に、より好適な香りを漂わせることが可能となる。
【００４０】
さらに、上記手摺棒が透明性のある素材で形成されていれば、手摺棒の内部空間に花等の趣向をこらしたものをいれることにより、より興趣に富む手摺にすることが可能となる。
【図面の簡単な説明】
【図１】本考案の一実施形態にかかる手摺の斜視図である。
【図２】本考案の一実施形態にかかる手摺の端部周辺の分解斜視図である。
【図３】本考案の一実施形態にかかる手摺の端部周辺の断面図である。
【図４】本考案の一実施形態にかかる手摺のブラケット用蓋の斜視図である。
【図５】本考案の一実施形態にかかる手摺の端部周辺の組立時の断面図である。
【符号の説明】
１０　手摺棒
１１　手摺空間
２０　　ブラケット
２１　ブラケット本体
２２　ブラケット空間
２３　ブラケット側貫通孔
３３　本体部（仕切部）
３７　　蓋側貫通孔
【図１】
0003098123.tif 000003
【図２】
0003098123.tif 000004
【図３】
0003098123.tif 000005
【図４】
0003098123.tif 000006
【図５】
0003098123.tif 000007